(57)【特許請求の範囲】
【請求項１】
スライド板と、
筐体の背面に回転可能に接続され、前記スライド板がスライド可能に挿入される脚部と、
前記筐体の背面に回転可能に接続されるストッパーと、
を備え、
前記スライド板は、当該スライド板の表面に形成された複数の係合溝と、前記スライド板の表面から突出し、前記複数の係合溝を挟むように配置された第１の突出部及び第２の突出部と、を有し、
前記脚部は、当該脚部の側壁部に前記スライド板の複数の係合溝と対応するように形成された複数の係合孔と、前記脚部の側壁部に前記複数の係合孔の開口部を接続するように形成された接続孔と、を有し、
前記ストッパーの一部が前記スライド板の係合溝及び前記脚部の係合孔に通されて前記筐体に対する前記脚部の角度が固定された状態から前記筐体に対して前記脚部を一方の回転方向に回転させ、前記ストッパーの一部を前記脚部の接続孔に沿って当該脚部が前記筐体に接続される一方の側に移動させて、前記第１の突出部を介して前記スライド板を前記脚部の一方の側にスライドさせた場合、前記脚部を左右方向から見て、前記スライド板の側壁部が前記脚部の係合孔の開口部を塞ぐと共に、前記脚部の側壁部が前記スライド板の係合溝の開口部を塞ぎ、
前記スライド板を一方にスライドさせた状態から前記筐体に対して前記脚部を他方の回転方向に回転させ、前記ストッパーの一部を前記脚部の接続孔に沿って当該脚部の他方の側に移動させて、前記第２の突出部を介して前記スライド板を前記脚部の他方の側にスライドさせた場合、前記脚部を左右方向から見て、前記スライド板の複数の係合溝と前記脚部の複数の係合孔とが重なるように配置される、筐体の角度調整機構。
【請求項２】
前記脚部の係合孔は、前記ストッパーの一部を前記脚部の係合孔の内部に係止する係止部を備える、請求項１に記載の筐体の角度調整機構。
【請求項３】
前記ストッパーは、門型形状であり、
前記ストッパーの開口部の側である一方の側の両端部が前記筐体の背面に回転可能に接続され、前記ストッパーの一部である他方の側が前記スライド板の係合溝及び前記脚部の係合孔に通されて係合される、請求項１又は２に記載の筐体の角度調整機構。
【請求項４】
前記スライド板の係合溝は、前記第１の突出部の側に向かうに従って前記スライド板の表面の側に向かって傾斜する傾斜部を備える、請求項１乃至３のいずれか１項に記載の筐体の角度調整機構。
【請求項５】
前記脚部の係合孔は、前記脚部の一方の側に向かうに従って前記脚部の表面の側に向かって傾斜する傾斜部を備える、請求項１乃至４のいずれか１項に記載の筐体の角度調整機構。
【請求項６】
前記スライド板の周縁部が前記脚部の側壁部に形成された溝部にスライド可能に挿入されている、請求項１乃至５のいずれか１項に筐体の角度調整機構。
【請求項７】
筐体と、
請求項１乃至６のいずれか１項に記載の筐体の角度調整機構と、
を備える、電子機器。
【発明の詳細な説明】
【技術分野】
【０００１】
本開示は、筐体の角度調整機構及び電子機器に関する。
【背景技術】
【０００２】
一般的な卓上電話機に代表される電子機器は、当該電子機器の設置面に対して筐体の角度が調整可能であることが好ましい。例えば、特許文献１の電子機器は、筐体の背面に回転可能に接続されたスタンドアーム及びロックアームを備えており、スタンドアームの側壁部の内側面に形成された巡回路にロックアームのフックが一方向に巡回可能に挿入されている。そして、スタンドアームの巡回路の往路には、間隔を開けて係止部が形成されており、当該係止部にロックアームのフックが係止されることで、設置面に対する筐体の角度が固定される。
【０００３】
このような電子機器において、筐体を立てた状態とする場合、ロックアームを弾性変形させてフックを係止部から離脱させ、例えば、巡回路の往路に沿って移動させて隣接する係止部に係止させる。筐体を最も立てた状態から寝かせた状態にする場合、ロックアームのフックを巡回路の復路に沿って移動させて、再度、巡回路の往路の係止部に係止させる。
【先行技術文献】
【特許文献】
【０００４】
【特許文献１】特開２０１８−１２５６７５号公報
【発明の概要】
【発明が解決しようとする課題】
【０００５】
特許文献１の電子機器においては、設置面に対する筐体の角度を調整する際にロックアームのフックをスタンドアームの巡回路で巡回させる必要があるが、ロックアームのフックをスタンドアームの巡回路で巡回させるための当該スタンドアームの操作が煩雑である。
【０００６】
本明細書に開示される実施形態が達成しようとする目的の１つは、当該課題の解決に寄与する筐体の角度調整機構及び電子機器を提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００７】
第１の態様の筐体の角度調整機構は、
スライド板と、
筐体の背面に回転可能に接続され、前記スライド板がスライド可能に挿入される脚部と、
前記筐体の背面に回転可能に接続されるストッパーと、
を備え、
前記スライド板は、当該スライド板の表面に形成された複数の係合溝と、前記スライド板の表面から突出し、前記複数の係合溝を挟むように配置された第１の突出部及び第２の突出部と、を有し、
前記脚部は、当該脚部の側壁部に前記スライド板の複数の係合溝と対応するように形成された複数の係合孔と、前記脚部の側壁部に前記複数の係合孔の開口部を接続するように形成された接続孔と、を有し、
前記ストッパーの一部が前記スライド板の係合溝及び前記脚部の係合孔に通されて前記筐体に対する前記脚部の角度が固定された状態から前記筐体に対して前記脚部を一方の回転方向に回転させ、前記ストッパーの一部を前記脚部の接続孔に沿って当該脚部が前記筐体に接続される一方の側に移動させて、前記第１の突出部を介して前記スライド板を前記脚部の一方の側にスライドさせた場合、前記脚部を左右方向から見て、前記スライド板の側壁部が前記脚部の係合孔の開口部を塞ぐと共に、前記脚部の側壁部が前記スライド板の係合溝の開口部を塞ぎ、
前記スライド板を一方にスライドさせた状態から前記筐体に対して前記脚部を他方の回転方向に回転させ、前記ストッパーの一部を前記脚部の接続孔に沿って当該脚部の他方の側に移動させて、前記第２の突出部を介して前記スライド板を前記脚部の他方の側にスライドさせた場合、前記脚部を左右方向から見て、前記スライド板の複数の係合溝と前記脚部の複数の係合孔とが重なるように配置される。
【０００８】
第２の態様の電子機器は、
筐体と、
上述の角度調整機構と、
を備える。
【発明の効果】
【０００９】
上述の態様によれば、脚部の簡単な操作で設置面に対する筐体の角度を調整可能な筐体の角度調整機構及び電子機器を実現することができる。
【図面の簡単な説明】
【００１０】
【図１】実施の形態の電子機器を模式的に示す斜視図である。
【図２】実施の形態の電子機器を模式的に示す異なる斜視図である。
【図３】実施の形態の角度調整機構を組み立てる流れを示す図である。
【図４】実施の形態の角度調整機構を組み立てる流れを示す図である。
【図５】実施の形態の角度調整機構を組み立てる流れを示す図である。
【図６】ストッパーの連結部分がスライド板の係合溝及び脚部の係合孔に係合された状態を示す斜視図である。
【図７】ストッパーの連結部分がスライド板の係合溝及び脚部の係合孔に係合された状態を示す側面図である。
【図８】ストッパーの連結部分がスライド板の係合溝及び脚部の係合孔から抜け出す様子を示す斜視図である。
【図９】ストッパーの連結部分がスライド板の係合溝及び脚部の係合孔から抜け出す様子を示す側面図である。
【図１０】ストッパーの連結部分がスライド板の表面上を脚部の接続孔に沿って当該脚部の前側に移動する様子を示す斜視図である。
【図１１】ストッパーの連結部分がスライド板の表面上を脚部の接続孔に沿って当該脚部の前側に移動する様子を示す側面図である。
【図１２】ストッパーの連結部分がスライド板の隣接する係合溝及び脚部の隣接する係合孔に挿入する様子を示す斜視図である。
【図１３】ストッパーの連結部分がスライド板の隣接する係合溝及び脚部の隣接する係合孔に挿入する様子を示す側面図である。
【図１４】ストッパーの連結部分がスライド板の隣接する係合溝及び脚部の隣接する係合孔に係合された状態を示す斜視図である
【図１５】ストッパーの連結部分がスライド板の隣接する係合溝及び脚部の隣接する係合孔に係合された状態を示す側面図である
【図１６】ストッパーの連結部分がスライド板の最も前側の係合溝及び脚部の最も前側の係合孔に係合された状態を示す側面図である。
【図１７】ストッパーの連結部分がスライド板の最も前側の係合溝及び脚部の最も前側の係合孔から抜け出す様子を示す斜視図である。
【図１８】ストッパーの連結部分がスライド板の最も前側の係合溝及び脚部の最も前側の係合孔から抜け出す様子を示す側面図である。
【図１９】ストッパーの連結部分がスライド板の表面上を脚部の接続孔に沿って当該脚部の前側に移動する様子を示す斜視図である。
【図２０】ストッパーの連結部分がスライド板の表面上を脚部の接続孔に沿って当該脚部の前側に移動する様子を示す側面図である。
【図２１】スライド板が脚部の前側にスライドする様子を説明するための図である。
【図２２】ストッパーの連結部分がスライド板の表面上を脚部の接続孔に沿って当該脚部の後側に移動する様子を示す斜視図である。
【図２３】ストッパーの連結部分がスライド板の表面上を脚部の接続孔に沿って当該脚部の後側に移動する様子を示す側面図である。
【図２４】ストッパーの連結部分がスライド板の第２の突出部を脚部の後側に押し込む様子を示す斜視図である。
【図２５】ストッパーの連結部分がスライド板の第２の突出部を脚部の後側に押し込む様子を示す側面図である。
【図２６】スライド板が脚部の後側にスライドする様子を説明するための図である。
【発明を実施するための形態】
【００１１】
以下、本開示を実施するための最良の形態について、添付図面を参照しながら説明する。但し、本開示が以下の実施の形態に限定される訳ではない。また、説明を明確にするため、以下の記載及び図面は、適宜、簡略化されている。
【００１２】
先ず、本実施の形態の筐体の角度調整機構（以下、単に角度調整機構と省略する場合がある。）を用いた電子機器の構成を説明する。図１は、本実施の形態の電子機器を模式的に示す斜視図である。図２は、本実施の形態の電子機器を模式的に示す異なる斜視図である。図３乃至図５は、本実施の形態の角度調整機構を組み立てる流れを示す図である。
【００１３】
電子機器１は、例えば、図１及び図２に示すように、卓上電話機である。電子機器１は、卓上電話機としての機能を実現するための基板などが搭載される筐体２及び角度調整機構３を備えている。筐体２は、受話部２ａ、ダイヤルボタン２ｂ及び表示部２ｃなどを備えている。なお、電子機器１の詳細な説明は、本開示の本質的部分ではないため、省略する。また、電子機器１は、卓上電話機に限定されず、設置面に設置される筐体を有する電子機器であればよい。
【００１４】
角度調整機構３は、設置面に対する筐体２の角度を調整する。角度調整機構３は、スライド板４、脚部５及びストッパー６を備えている。ここで、スライド板４、脚部５及びストッパー６の説明は、図３及び図４で規定する表側、裏側、前側、後側、右側及び左側に基づいて説明する。
【００１５】
スライド板４は、図３の左側の図に示すように、スライド板４を表裏方向から見て、略四角形状の平板を基本形態としており、係合溝４ａ、第１の突出部４ｂ及び第２の突出部４ｃを備えている。係合溝４ａは、スライド板４の表面に当該スライド板４の前後方向に間隔を開けて配置されている。
【００１６】
係合溝４ａは、スライド板４の左右方向に延在している。そして、係合溝４ａは、スライド板４を左右方向から見て、スライド板４の前側に向かうに従って当該スライド板４の表面に向かって傾斜する第１の部分（傾斜部）４ｄ、及び第１の部分４ｄからスライド板４の後側に向かって延在する第２の部分４ｅを備えている。
【００１７】
第１の突出部４ｂは、スライド板４の表面から突出しており、スライド板４における最も前側に配置された係合溝４ａに対して前側に配置されている。第１の突出部４ｂは、例えば、スライド板４における最も前側に配置された係合溝４ａの開口部の前辺に沿って配置されている。
【００１８】
第２の突出部４ｃは、スライド板４の表面から突出しており、スライド板４における最も後側に配置された係合溝４ａに対して後側に配置されている。第２の突出部４ｃは、例えば、スライド板４における最も後側に配置された係合溝４ａの開口部の後辺に沿って配置されている。つまり、第１の突出部４ｂと第２の突出部４ｃとは、スライド板４の前後方向で複数の係合溝４ａを挟むように配置されている。
【００１９】
脚部５は、脚部５を表裏方向から見て、逆門型形状を基本形態としており、回転軸５ａ、溝部５ｂ、係合孔５ｃ及び接続孔５ｄを備えている。回転軸５ａは、脚部５の左右の側壁部の前端部から夫々、脚部５の内側に向かって突出しており、図２に示すように、筐体２の背面に形成された係合孔２ｄに係合されている。これにより、脚部５は、筐体２に対して回転軸５ａを中心に回転可能である。
【００２０】
溝部５ｂは、脚部５の左右の側壁部及び後側の側壁部の内周面に沿って形成されており、溝部５ｂの開口部は、脚部５の内側に配置されている。例えば、脚部５における溝部５ｂが形成された部分の縦断面形状は、略倒門型形状を基本形態としている。そして、溝部５ｂの表裏方向の高さは、スライド板４の表裏方向の厚さとストッパー６の太さとを足した高さよりも若干、高い。
【００２１】
このような溝部５ｂには、スライド板４の周縁部が挿入される。これにより、スライド板４は、脚部５に対して当該脚部５の前後方向にスライド可能とされている。但し、脚部５の後側の側壁部に形成される溝部５ｂは省略してもよい。
【００２２】
係合孔５ｃは、スライド板４の係合溝４ａと対応する配置及び形状とされている。詳細には、左右の係合孔５ｃを一組として、スライド板４の係合溝４ａの個数と等しい複数組の係合孔５ｃが脚部５の左右の側壁部に形成されている。このような複数組の係合孔５ｃは、スライド板４の係合溝４ａの間隔と略等しい間隔を当該脚部５の前後方向に開けて配置されている。
【００２３】
このとき、スライド板４における前後方向で隣接する係合溝４ａの間隔は、脚部５の係合孔５ｃの開口部における前後方向の幅寸法よりも広いとよい。言い換えると、脚部５における前後方向で隣接する係合孔５ｃの間隔は、スライド板４の係合溝４ａの開口部における前後方向の幅寸法よりも広いとよい。
【００２４】
係合孔５ｃは、脚部５を左右方向から見て、脚部５の前側に向かうに従って当該脚部５の表面に向かって傾斜する第１の部分（傾斜部）５ｅ、及び第１の部分５ｅから脚部５の後側に向かって延在する第２の部分５ｆを備えており、スライド板４の係合溝４ａと略等しい形状とされている。
【００２５】
接続孔５ｄは、脚部５の左右の側壁部に夫々、形成されており、各々の側壁部の係合孔５ｃの開口部同士を接続する。そして、接続孔５ｄは、脚部５の側壁部における最も前側に配置される係合孔５ｃに対して当該脚部５の前側に向かって延在している。
【００２６】
接続孔５ｄは、例えば、脚部５の側壁部における最も前側に配置される係合孔５ｃに対して、スライド板４の係合溝４ａの開口部における前後方向の幅寸法、及び脚部５の係合孔５ｃの開口部における前後方向の幅寸法よりも長く、脚部５の前側に向かって延在している。
【００２７】
ストッパー６は、図４の左側の図に示すように、逆門型形状を基本形態としており、ストッパー６における開口部の側の両端部から夫々、ストッパー６の内側に向かって回転軸６ａが突出している。回転軸６ａは、左右方向に延在しており、図２に示すように、筐体２の背面に形成された係合孔２ｅに係合されている。
【００２８】
これにより、ストッパー６は、筐体２に対して回転軸６ａを中心に回転可能である。このようなストッパー６における回転軸６ａに対して逆側の連結部分６ｂは、詳細は後述するが、スライド板４及び脚部５に通されている。ここで、ストッパー６は、後述するようにスライド板４及び脚部５に良好に通すことができるように、弾性変形可能な材料で構成されているとよい。
【００２９】
次に、本実施の形態の角度調整機構３を組み立てる流れを説明する。先ず、図３の左側から右側の図に示すように、スライド板４の周縁部を脚部５の溝部５ｂに挿入し、脚部５を左右方向から見て、スライド板４の係合溝４ａと脚部５の係合孔５ｃとが重なるように配置する。
【００３０】
次に、図４の左側から右側の図に示すように、スライド板４の係合溝４ａ及び脚部５の係合孔５ｃにストッパー６を通し、ストッパー６の連結部分６ｂをスライド板４の係合溝４ａ及び脚部５の係合孔５ｃに係合する。
【００３１】
次に、図５に示すように、脚部５の回転軸５ａを筐体２の係合孔２ｄに係合すると共に、ストッパー６の回転軸６ａを筐体２の係合孔２ｅに係合する。これにより、角度調整機構３を組み立てることができる。
【００３２】
このような角度調整機構３の脚部５及び筐体２を設置面上に設置すると、ストッパー６の連結部分６ｂがスライド板４の係合溝４ａ及び脚部５の係合孔５ｃに係合された状態で、係合溝４ａの第２の部分４ｅの後端部及び係合孔５ｃの第２の部分５ｆの後端部に接触し、筐体２が設置面に対して所定の角度で支持される。
【００３３】
そして、角度調整機構３においては、詳細は後述するが、ストッパー６の連結部分６ｂが係合されるスライド板４の係合溝４ａ及び脚部５の係合孔５ｃを選択することで、筐体２に対する脚部５の角度、ひいては設置面に対する筐体２の角度を調整可能としている。
【００３４】
次に、本実施の形態の角度調整機構３を用いて筐体２に対する脚部５の角度を調整する流れを説明する。先ず、筐体２に対する脚部５の角度を小さくし、設置面に対して筐体２を立てた状態に変更する流れを説明する。
【００３５】
図６及び図７は、ストッパーの連結部分がスライド板の係合溝及び脚部の係合孔に係合された状態を示す図である。図８及び図９は、ストッパーの連結部分がスライド板の係合溝及び脚部の係合孔から抜け出す様子を示す図である。図１０及び図１１は、ストッパーの連結部分がスライド板の表面上を脚部の接続孔に沿って当該脚部の前側に移動する様子を示す図である。図１２及び図１３は、ストッパーの連結部分がスライド板の隣接する係合溝及び脚部の隣接する係合孔に挿入する様子を示す図である。図１４及び図１５は、ストッパーの連結部分がスライド板の隣接する係合溝及び脚部の隣接する係合孔に係合された状態を示す図である。なお、各図では、筐体２の受話部２ａを省略している。
【００３６】
ここで、図６及び図７に示すように、第１の初期状態として、ストッパー６の連結部分６ｂがスライド板４における最も後側の係合溝４ａ及び脚部５における最も後側の係合孔５ｃに係合されているものとする。そして、スライド板４は、脚部５の溝部５ｂの最も後側に配置されているものとする。
【００３７】
このような状態から、先ず、電子機器１のユーザが図７に示す矢印方向に脚部５を回転させ、図８及び図９に示すように、ストッパー６の連結部分６ｂをスライド板４の係合溝４ａの開口部及び脚部５の係合孔５ｃの開口部に向かって移動させる。
【００３８】
このとき、スライド板４の係合溝４ａの第１の部分４ｄは、スライド板４の前側に向かうに従って当該スライド板４の表面に向かって傾斜し、脚部５の係合孔５ｃの第１の部分５ｅは、脚部５の前側に向かうに従って当該脚部５の表面に向かって傾斜しているので、ストッパー６の連結部分６ｂを係合溝４ａの開口部及び係合孔５ｃの開口部に向かってスムーズに移動させることができる。
【００３９】
ユーザがさらに図７に示す矢印方向に脚部５を回転させると、図１０及び図１１に示すように、ストッパー６の連結部分６ｂがスライド板４の係合溝４ａから抜け出すと共に、脚部５の係合孔５ｃから抜け出して、スライド板４の表面上で脚部５の接続孔５ｄに沿って当該脚部５の前側に向かって移動する。
【００４０】
図１２及び図１３に示すように、ストッパー６の連結部分６ｂがスライド板４における最も後側に配置された係合溝４ａに対して一つ前側に配置された係合溝４ａの開口部及び脚部５における最も後側に配置された係合孔５ｃに対して一つ前側に配置された係合孔５ｃの開口部に到達すると、ユーザは図１３に示す矢印方向に脚部５を回転させる。
【００４１】
そして、図１４及び図１５に示すように、ストッパー６の連結部分６ｂをスライド板４における最も後側に配置された係合溝４ａに対して一つ前側に配置された係合溝４ａ及び脚部５における最も後側に配置された係合孔５ｃに対して一つ前側に配置された係合孔５ｃに係合させ、ストッパー６の連結部分６ｂを係合溝４ａ及び係合孔５ｃの後端部に接触させる。
【００４２】
このとき、スライド板４の係合溝４ａの第１の部分４ｄは、スライド板４の前側に向かうに従って当該スライド板４の表面に向かって傾斜し、脚部５の係合孔５ｃの第１の部分５ｅは、脚部５の前側に向かうに従って当該脚部５の表面に向かって傾斜しているので、ストッパー６の連結部分６ｂを係合溝４ａ及び係合孔５ｃの内部にスムーズに移動させることができる。
【００４３】
これにより、電子機器１が設置面に設置可能な状態となる。このように脚部５を回転させる簡単な回転操作によって、筐体２に対する脚部５の角度θ（図７を参照）を小さくして、第１の初期状態に対して筐体２を立てた状態に変更することができる。
【００４４】
このとき、脚部５は、図１５において破線で囲んで示すように、係合孔５ｃに係止部５ｇを備えているとよい。係止部５ｇは、ストッパー６の連結部分６ｂが脚部５の係合孔５ｃにおける第２の部分５ｆの後端部に配置された状態で当該連結部分６ｂに接触する。
【００４５】
係止部５ｇは、例えば、ストッパー６の連結部分６ｂが引っ掛かる程度の高さで、脚部５の係合孔５ｃの第２の部分５ｆの周面から突出している。このような係止部５ｇによって、ストッパー６の連結部分６ｂを脚部５の係合孔５ｃの第２の部分５ｆの後側に係止することができ、脚部５に不意に図７に示す矢印方向に力が加わった際に、ストッパー６の連結部分６ｂがスライド板４の係合溝４ａ及び脚部５の係合孔５ｃから抜け出ることを抑制できる。
【００４６】
なお、係止部５ｇは、一組の係合孔５ｃの少なくとも一方に形成されているとよい。ここで、脚部５は、係止部５ｇを超えてストッパー６が係合孔５ｃに沿って移動する際に、係止部５ｇが弾性変形するように、弾性変形可能な材料で構成されているとよい。但し、係止部５ｇは、バネなどの弾性体によって係合孔５ｃの周面から突出する構成でもよい。
【００４７】
また、図１４及び図１５では、ストッパー６の連結部分６ｂをスライド板４における最も後側に配置された係合溝４ａに対して一つ前側に配置された係合溝４ａ及び脚部５における最も後側に配置された係合孔５ｃに対して一つ前側に配置された係合孔５ｃに係合させているが、ストッパー６の連結部分６ｂを係合させる係合溝４ａ及び係合孔５ｃは、現状、ストッパーの連結部分６ｂが係合されている係合溝４ａ及び係合孔５ｃに対して脚部５の前側に配置された係合溝４ａ及び係合孔５ｃであればよい。
【００４８】
次に、筐体２に対する脚部５の角度θを大きくし、上述のように筐体２を立てた状態から寝かした状態に変更する流れを説明する。図１６は、ストッパーの連結部分がスライド板の最も前側の係合溝及び脚部の最も前側の係合孔に係合された状態を示す図である。図１７及び図１８は、ストッパーの連結部分がスライド板の最も前側の係合溝及び脚部の最も前側の係合孔から抜け出す様子を示す図である。図１９及び図２０は、ストッパーの連結部分がスライド板の表面上を脚部の接続孔に沿って当該脚部の前側に移動する様子を示す図である。図２１は、スライド板が脚部の前側にスライドする様子を説明するための図である。図２２及び図２３は、ストッパーの連結部分がスライド板の表面上を脚部の接続孔に沿って当該脚部の後側に移動する様子を示す図である。図２４及び図２５は、ストッパーの連結部分がスライド板の第２の突出部を脚部の後側に押し込む様子を示す図である。図２６は、スライド板が脚部の後側にスライドする様子を説明するための図である。なお、各図では、筐体２の受話部２ａを省略している。
【００４９】
ここで、図２及び図１６に示すように、第２の初期状態として、ストッパー６の連結部分６ｂがスライド板４における最も前側の係合溝４ａ及び脚部５における最も前側の係合孔５ｃに係合されているものとする。そして、スライド板４は、脚部５の溝部５ｂの最も後側に配置されているものとする。
【００５０】
このような状態から、先ず、ユーザが図１６に示す矢印方向に脚部５を回転させ、図１７及び図１８に示すように、ストッパー６の連結部分６ｂをスライド板４の係合溝４ａの開口部及び脚部５の係合孔５ｃの開口部に向かって移動させる。
【００５１】
ユーザがさらに図１６に示す矢印方向に脚部５を回転させると、図１９及び図２０に示すように、ストッパー６の連結部分６ｂがスライド板４の係合溝４ａから抜け出すと共に、脚部５の係合孔５ｃから抜け出して、ストッパー６の連結部分６ｂがスライド板４の第１の突出部４ｂに接触し、当該第１の突出部４ｂを介してスライド板４を脚部５の前側にスライドさせつつ、スライド板４の表面上で脚部５の接続孔５ｄに沿って当該脚部５の前側に向かって移動する。
【００５２】
これにより、図２１の上側から下側の図に示すように、脚部５の左右方向から見て、スライド板４の係合溝４ａと脚部５の係合孔５ｃとが重なった状態から、スライド板４の係合溝４ａの開口部の少なくとも一部を脚部５の側壁部で塞ぎつつ、脚部５の係合孔５ｃの開口部の少なくとも一部をスライド板４の側壁部で塞いだ状態になる。
【００５３】
その後、ユーザーが図２３に示す矢印方向に脚部５を回転させ、図２２及び図２３に示すように、ストッパー６の連結部分６ｂをスライド板４の表面上で脚部５の接続孔５ｄに沿って当該脚部５の後側に向かって移動させる。
【００５４】
このとき、上述のように、脚部５の左右方向から見て、スライド板４の係合溝４ａの開口部の少なくとも一部が脚部５の側壁部で塞がれ、脚部５の係合孔５ｃの開口部の少なくとも一部がスライド板４の側壁部で塞がれているので、ストッパー６の連結部分６ｂがスライド板４の係合溝４ａ及び脚部５の係合孔５ｃに引っ掛かることを抑制できる。そのため、ストッパー６の連結部分６ｂをスムーズに脚部５の後側にスライドさせることができる。
【００５５】
ユーザがさらに図２３に示す矢印方向に脚部５を回転させると、図２４及び図２５に示すように、ストッパー６の連結部分６ｂがスライド板４の第２の突出部４ｃに接触し、当該第２の突出部４ｃを介してスライド板４を脚部５の後側にスライドさせつつ、スライド板４の表面上で脚部５の接続孔５ｄに沿って当該脚部５の後側に向かって移動する。
【００５６】
これにより、脚部５の左右方向から見て、図２６の下側から上側の図に示すように、スライド板４の係合溝４ａの開口部の少なくとも一部を脚部５の側壁部で塞ぎつつ、脚部５の係合孔５ｃの開口部の少なくとも一部をスライド板４の側壁部で塞いだ状態から、スライド板４の係合溝４ａと脚部５の係合孔５ｃとが重なった状態になる。ちなみに、スライド板４の第２の突出部４ｃが脚部５の後側の側壁部に接触すると、スライド板４の係合溝４ａと脚部５の係合孔５ｃとが重なった状態になるとよい。
【００５７】
そして、ユーザが図２３に示す矢印方向に脚部５を回転させて、図６及び図７に示すように、ストッパー６の連結部分６ｂをスライド板４における最も後側に配置された係合溝４ａ及び脚部５における最も後側に配置された係合孔５ｃに係合させ、ストッパー６の連結部分６ｂを係合溝４ａ及び係合孔５ｃの後端部に接触させる。
【００５８】
これにより、電子機器１が設置面に設置可能な状態となる。このように脚部５を回転させる簡単な回転操作によって、筐体２に対する脚部５の角度θを大きくして、第２の初期状態に対して筐体２を寝かせた状態に変更することができる。
【００５９】
以上より、本実施の形態の電子機器１及び角度調整機構３は、脚部５の簡単な回転操作によって、筐体２に対する脚部５の角度θを変更することができ、結果として、設置面に対する筐体２の角度を変更することができる。
【００６０】
しかも、ストッパー６の連結部分６ｂを脚部５の後側に移動させる際に、脚部５の左右方向から見て、スライド板４の係合溝４ａの開口部の少なくとも一部が脚部５の側壁部で覆われ、脚部５の係合孔５ｃの開口部の少なくとも一部がスライド板４の側壁部で覆われているので、ストッパー６の連結部分６ｂがスライド板４の係合溝４ａ及び脚部５の係合孔５ｃに引っ掛かることを抑制できる。そのため、ストッパー６の連結部分６ｂをスムーズに脚部５の後側にスライドさせることができる。
【００６１】
また、脚部５が係止部５ｇを備えている場合、脚部５に不意に図７に示す矢印方向に力が加わっても、ストッパー６の連結部分６ｂがスライド板４の係合溝４ａ及び脚部５の係合孔５ｃから抜け出ることを抑制できる。
【００６２】
上述した実施の形態は本件発明者により得られた技術思想の適用に関する例に過ぎない。すなわち、当該技術思想は、上述した実施の形態のみに限定されるものではなく、種々の変更が可能であることは勿論である。
【符号の説明】
【００６３】
１  電子機器
２  筐体、２ａ  受話部、２ｂ  ダイヤルボタン、２ｃ  表示部、２ｄ、２ｅ  係合孔
３  角度調整機構
４  スライド板、４ａ  係合溝、４ｂ  第１の突出部、４ｃ  第２の突出部、４ｄ  第１の部分、４ｅ  第２の部分
５  脚部、５ａ  回転軸、５ｂ  溝部、５ｃ  係合孔、５ｄ  接続孔、５ｅ  第１の部分、５ｆ  第２の部分、５ｇ  係止部
６  ストッパー、６ａ  回転軸、６ｂ  連結部分
【要約】      （修正有）【課題】脚部の簡単な操作で設置面に対する筐体の角度を調整可能な筐体の角度調整機構を提供する。【解決手段】電子機器１において、筐体２の角度調整機構３は、脚部５を一方に回転させ、ストッパー６の一部を脚部５の接続孔５ｄに沿って移動させて、第１の突出部４ｂを介してスライド板４をスライドさせた場合、スライド板４の側壁部が脚部５の係合孔５ｃの開口部を塞ぐと共に、脚部５の側壁部がスライド板４の係合溝４ａの開口部を塞ぎ、脚部５を他方に回転させ、ストッパー６の一部を脚部５の接続孔５ｄに沿って移動させて、第２の突出部４ｃを介してスライド板４をスライドさせた場合、スライド板４の複数の係合溝４ａと脚部５の複数の係合孔５ｃとが重なるように配置される。【選択図】図１０【図１】
0006753590.tif 000002
【図２】
0006753590.tif 000003
【図３】
0006753590.tif 000004
【図４】
0006753590.tif 000005
【図５】
0006753590.tif 000006
【図６】
0006753590.tif 000007
【図７】
0006753590.tif 000008
【図８】
0006753590.tif 000009
【図９】
0006753590.tif 000010
【図１０】
0006753590.tif 000011
【図１１】
0006753590.tif 000012
【図１２】
0006753590.tif 000013
【図１３】
0006753590.tif 000014
【図１４】
0006753590.tif 000015
【図１５】
0006753590.tif 000016
【図１６】
0006753590.tif 000017
【図１７】
0006753590.tif 000018
【図１８】
0006753590.tif 000019
【図１９】
0006753590.tif 000020
【図２０】
0006753590.tif 000021
【図２１】
0006753590.tif 000022
【図２２】
0006753590.tif 000023
【図２３】
0006753590.tif 000024
【図２４】
0006753590.tif 000025
【図２５】
0006753590.tif 000026
【図２６】
0006753590.tif 000027